(57)【要約】【課題】主走査方向の分割点灯位置の光量ムラをなくしたデジタル発光素子書込装置を提供すること。【解決手段】本回路は、主走査１ライン分のデータをＬＥＤアレイユニット内部ドライバにラッチさせた後、主走査開始信号より、設定した３２カウント分のクロック点灯信号を分割領域毎順に出力することでＬＥＤを点灯させ、画像印字させている。１本のＬＥＤアレイユニットは４分割の点灯領域とし電源容量の負担を低減している。まず、システム制御装置３０２からの用紙幅に対応するＬＥＤアレイユニット５０３−１〜３の書込開始位置と書込終了位置信号が与えられ、ＬＥＤ書込制御回路５０２に入力され、内部ＩＣによりＳＲＡＭへのアドレス設定を行う。更に、書込開始アドレス・終了アドレスが、ＬＥＤ書込制御回路内５０２のレジスタ回路より、出力される。【選択図】　　　図５
2004114317.tif 000002
【特許請求の範囲】
【請求項１】
複数個の発光素子が一方向に列設された発光素子アレイおよび前記発光素子アレイの光を感光体に結像させる結像手段とからなる発光素子アレイユニットと、
前記発光素子アレイユニットの一度の点灯領域を複数に分割する分割手段と、
一度の点灯領域毎に発光光量を制御させる発光素子点灯制御手段と、を備えたことを特徴とするデジタル発光素子書込装置。
【請求項２】
一度の点灯領域の点灯領域が少ない箇所は、前記発光素子点灯制御手段が発光光量を減少させるように制御することを特徴とする請求項１記載のデジタル発光素子書込装置。
【請求項３】
前記発光素子点灯制御手段が、発光光量を制御する発光素子点灯制御は一度の点灯領域に応じて制御することを特徴とする請求項２記載のデジタル発光素子書込装置。
【発明の詳細な説明】
【０００１】
【発明の属する技術分野】
本発明は、ＬＥＤアレイによる光ビームで印字情報を感光体に書き込むことによりデジタル画像を形成するＬＥＤプリンタに関する。
【０００２】
【従来の技術】
ＬＥＤプリンタは、レーザープリンタのポリゴンミラーような可動部がないため高信頼性である。また、大判サイズのプリント出力を必要とする広幅機の場合には、主走査方向に光ビームを走査させるための光学的空間が不要で、ＬＥＤアレイとセルフォックレンズ等の光学素子を一体化したＬＥＤヘッドを配置すれば良く、装置全体を小型化することができる。そのため、レーザープリンタより高い評価を受けている。
このようなＬＥＤプリンタに関する技術として以下のものがある。
【特許文献１】
特開平１０−８６４３８号公報
【特許文献２】
特開２００１−８０１１８号公報
【０００３】
特許文献１は、ＬＥＤヘッド群を、感光体の軸線方向に沿って配列した複数個のＬＥＤヘッドによって構成し、感光体の軸線方向の最大感光幅を各ＬＥＤヘッドによって分割露光可能にしている。
なお、感光体の軸線方向に沿って千鳥状に配列した複数個のＬＥＤヘッドによる露光可能領域の端部を感光体の軸線方向で重複させることもできる。またＬＥＤヘッドを３個以上の奇数個によって構成し、その各ＬＥＤヘッド群の数が感光体の回動方向の下流側より上流側の方が多くなるように千鳥状に配列することもできる。
特許文献２は、複数個のＬＥＤヘッドによって感光体の軸線方向の最大感光幅を分割露光可能にするものであり、各ＬＥＤヘッド間の明るさの違いよる印字濃度のムラをなくするために各ＬＥＤヘッド毎に単独で明るさを調整しているが、印字した時にＬＥＤヘッド内の分割点灯間で濃度ムラが生じてしまうことまでは言及していない。
【０００４】
【発明が解決しようとする課題】
ところで、レーザープリンタが１０ｍＷ程度の出力の光源１個を発光させそのビームをポリゴンミラー、ｆθレンズ等により走査させているのに対し、ＬＥＤプリンタでは１画素毎に１個ＬＥＤ素子を複数個主走査方向に並べ、これに各々数ｍＡ〜１０ｍＡ程度の電流を流して発光するようにしており、１素子毎にデータ転送および点灯の制御している。
したがって、プリンタ・複写機の機械が大型になってくればそれだけ使用するＬＥＤ素子ドライバＩＣが増えて生産の歩留まりが低下し、またユニットが長くなり書き込みビーム配列精度を維持するため部品精度を良くするなど部品単価も小型のプリンタ・複写機のものに較べて非常に高くなってしまう。
このため価格の安い小型のプリンタ・複写機用のＬＥＤ素子アレイユニットを複数個主走査方向に配置し広幅機用にしたものが提供された。
【０００５】
特許文献１では、感光体の軸線上に沿って２個、３個のＬＥＤ素子アレイユニットを配置し分割露光をしている。
分割露光方法として１ドットずつ主走査方向にスキャンさせていくダイナミック方法と、主走査方向を一度あるいはいくつかのブロックに分けてまとめて点灯させるスタテック方法があるが、具体的には、１個のＬＥＤ素子アレイユニットの中を４分割点灯させるようにして、３個のＬＥＤ素子アレイユニットを並べているので全体として１２分割点灯とする方法がある。
この場合、濃い画像の時は問題なかったが淡い画像（低い濃度）の時には点灯の分割位置を境として画像濃度が変化してしまうという問題が生じた。
これはＬＥＤ素子アレイユニット内で複数に分割された点灯領域のうちの両端部が内側の点灯領域よりどうしても狭くなり電源からのケーブルインピーダンス等による電圧降下の違いによって、その点灯領域の電流が大きくなり発光光量が増加する。このため画像が中間色（ハーフトーン画像）であると隣接する内側の点灯領域の画像濃度より濃い画像となりムラとして目立ってしまう。
このようにＬＥＤ素子アレイユニット内でも点灯領域毎の濃度ムラが発生してしまいＬＥＤ素子アレイユニット単位での光量補正では制御できなかった。
【０００６】
そこで、本発明の第１の目的は、発光素子アレイユニットの一度の点灯領域を複数に分割する手段と、一度の点灯領域毎の発光光量を制御させる発光素子点灯制御回路とで構成することにより主走査方向の分割点灯位置の光量ムラをなくしたデジタル発光素子書込装置を提供することである。
本発明の第２の目的は、一度の点灯領域の点灯領域が少ない箇所は、発光光量を減少させるように点灯制御回路を制御することにより主走査方向の分割点灯位置の光量ムラをなくすることを可能としたデジタル発光素子書込装置を提供することである。
本発明の第３の目的は、発光光量を制御させる発光素子点灯制御は一度の点灯領域に応じて制御させることにより主走査方向の分割点灯位置の光量ムラをなくすることを可能としたデジタル発光素子書込装置を提供することである。
【０００７】
【課題を解決するための手段】
請求項１記載の発明では、複数個の発光素子が一方向に列設された発光素子アレイおよび前記発光素子アレイの光を感光体に結像させる結像手段とからなる発光素子アレイユニットと、前記発光素子アレイユニットの一度の点灯領域を複数に分割する分割手段と、一度の点灯領域毎に発光光量を制御させる発光素子点灯制御手段と、を備えたことにより、前記第１の目的を達成する。
【０００８】
請求項２記載の発明では、請求項１記載の発明において、一度の点灯領域の点灯領域が少ない箇所は、前記発光素子点灯制御手段が発光光量を減少させるように制御することにより、前記第２の目的を達成する。
請求項３記載の発明では、請求項２記載の発明において、前記発光素子点灯制御手段が、発光光量を制御する発光素子点灯制御は一度の点灯領域に応じて制御することにより、前記第３の目的を達成する。
【０００９】
【発明の実施の形態】
以下、本発明の好適な実施の形態について図１ないし図８を参照して詳細に説明する。
図１は、本発明の実施の形態に係る複写機の基本構成ブロック図、図２は、この複写機の概略を示した図である。
図１に示すように、複写機は、原稿を読み取る読取手段としての読取部１００、読み取られた原稿情報を記憶する記憶手段としての画像情報記憶部３００、記憶された情報を転写紙に複写するための一連のプロセスを実行する書込部５００、これらを制御するシステム制御装置３０２、このシステム制御装置にキー入力を行う操作手段としての操作部４００で構成されている。
【００１０】
次に、図１および図２を参照して、読取部１００の構成を説明する。
オペレータが原稿を挿入口から挿入すると、原稿は、ローラ１の回転に応じて密着センサモジュール２と白色ローラ３間を搬送される。搬送中の原稿には、密着センサモジュール２に内蔵されているＬＥＤランプにより照明され、その反射光はセンサモジュール２に結像され、原稿画像情報が読み取られる。
そして、センサ１０１上に結像した原稿画像は電気信号に変換され、このアナログ信号は、画像増幅回路１０２で増幅される。Ａ／Ｄ（アナログ／デジタル）変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力されシェーデング補正回路１０４により、光量ムラ、コンタクトガラスの汚れ、センサの感度ムラ等による歪を補正する。この補正されたデジタル画像情報は、画像処理回路１０５でデジタル記録画像情報に変換された後、画像メモリ部３０１に書き込まれる。
【００１１】
次に、図２を参照して複写装置２００の構成について説明する。
帯電装置４は、感光体ドラム５を−８５０Ｖに一様に帯電させるグリッド付きのスコロトロンチャージャである。ＬＥＤヘッド５０３は、ＬＥＤをアレイ状に並べ、ＳＬＡ（セルフォックレンズアレイ）を介して感光体ドラム５に照射される。
ＬＥＤアレイユニット６は、ＬＥＤをアレイ状に並べ、ＳＬＡ（セルフォックレンズアレイ）を介して感光体ドラム５に照射される。このＬＥＤアレイユニット６は、図１のＬＰＨ５０３−１〜３に相当する。感光体ドラム５にデジタル画像情報に基づいたＬＥＤ光が照射されると、光導電現象で感光体表面の電荷が感光体ドラム５のアースに流れて消滅する。
ここで原稿濃度の淡い部分は、ＬＥＤを発光させないようにし、原稿濃度の濃い部分は、ＬＥＤを発光させる。これにより感光体ドラム５のＬＥＤ光非照射部は、画像の濃淡に対応した静電潜像が形成される。この静電潜像を現像ユニット７によって現像する。現像ユニット７内のトナーは撹拌により負に帯電されておりバイアスは−７００Ｖに印加されているためＬＥＤ光照射部分だけにトナーが付着する。
【００１２】
一方転写紙は、３つのロール給紙台および手差し給紙台から選択し、レジストローラ８で所定のタイミングで感光体ドラム５の下部を通過し、この時に転写チャージャ９によりトナー像を記録紙上に転写させる。記録紙は次に感光体ドラム５より分離チャージャ１０により分離されて搬送タンク１１により搬送されて定着ユニット１２に送られ、そこでトナーが記録紙に定着される。
その後、トナーが定着された記録紙は排紙トレイ１３または１４により機外の前後の排紙トレイに送られ排紙される。
【００１３】
次に、画像メモリ部３０１から書込部への画像信号の流れを説明する。
画像信号の流れは、画像メモリ部３０１からイーブン（Ｅ：２ｂｉｔ）、オッド（Ｏ：２ｂｉｔ）の４値画像データが２ラインパラレルの２５ＭＨｚでＬＥＤ書込制御回路５０２に送られてくる。
２ラインで送られてきた画像信号は、ＬＥＤ書込制御回路５０２内部で一旦、１ラインに合成した後、各々のＬＥＤ当たり２分割で全体として６分割され、ＬＥＤアレイユニット５０３＿１、５０３＿２、５０３＿３へ９．５ＭＨｚで転送される。
【００１４】
次に、図４を参照してＬＥＤ書込制御回路５０２の各ブロック説明を行う。
まず、画像データ入力部５１２について説明する。
画像信号イーブン（Ｅ：２ｂｉｔ）、オッド（Ｏ：２ｂｉｔ）およびタイミング信号は、画像メモリ部３０１より低電圧作動信号素子ＬＶＤＳドライバを使用しパラレルからシリアルに変換され、ＬＥＤ書込制御回路５０２に２５ＭＨｚで送られてくるため、ＬＥＤ書込制御回路５０２でもＬＶＤＳレシーバ５１２を使用し、シリアル信号からパラレル信号に変換し、ＰＫＤＥ・ＰＫＤＯ・ＸＰＣＬＫ・ＸＰＬＳＹＮＣ・ＸＰＬＧＡＴＥ・ＸＰＦＧＡＴＥ＿ＩＯＵとして第１＿ＩＣ５１０に入力する。
タイミング信号のＸＰＬＳＹＮＣとＸＰＦＧＡＴＥ＿ＩＰＵは第１＿ＩＣ５１０の内部クロックと同期させ、画像信号処理時間分遅らせ、ＲＬＳＹＮＣ、ＲＦＧＡＴＥとして第２＿ＩＣ５１１に入力される。
【００１５】
次に、画像データＲＡＭ部５１４Ａ＿１〜５１４Ａ＿６、５１４Ｂ＿１〜５１４Ｂ＿６について説明する。
第１＿ＩＣ、５１０に入力された画像信号はＥＤ（２ｂｉｔ）、ＯＤ（２ｂｉｔ）としてＳＲＡＭアドレス信号ＡＡＤＲ（１０．．０）およびＢＡＤＲ（１０．．０）と共にＡ群ＳＲＡＭ６個（５１４Ａ＿１〜５１４Ａ＿６）、Ｂ群ＳＲＡＭ６個（５１４Ｂ＿１〜５１４Ｂ＿６）に２５ＭＨｚで出力される。
ＬＥＤアレイユニット５０３＿１〜５０３＿３は、総ｄｏｔ数２３０４０（Ａ３幅７６８０ｄｏｔ×３本）で画像信号転送が６分割（１本／２分割×３本）方式のため、Ａ３幅ＬＥＤアレイユニット１本の１分割分である３８４０ｄｏｔ（７６８０ｄｏｔ／２分割）毎に、Ａ群としてＳＲＡＭ１〜６、５１４Ａ＿１〜５１４Ａ＿６の６個を設け、２ｄｏｔ（ＥＤ：２ｂｉｔ、ＯＤ：２ｂｉｔ）分の画像データを４ｂｉｔとして１アドレスに割り当て、主走査１ライン分の画像信号をＡ群のＳＲＡＭ１、５１４Ａ＿１にＬＥＤアレイユニット１、５０３＿１の１分割目の画像信号、ＳＲＡＭ２、５１４Ａ＿２にＬＥＤアレイユニット１、５０３＿１の２分割目の画像信号、ＳＲＡＭ３、５１４Ａ＿３にＬＥＤアレイユニット２、５０３＿２の１分割目の画像信号、ＳＲＡＭ４、５１４Ａ４にＬＥＤアレイユニットユニット２、５０３＿２の２分割目の画像信号、ＳＲＡＭ５、５１４Ａ＿５にＬＥＤアレイユニット３、５０３＿３の１分割目の画像信号、ＳＲＡＭ６、５１４Ａ＿６にＬＥＤアレイユニット３、５０３＿３の２分割目の画像信号を格納する。
【００１６】
２５ＭＨｚでＡ群ＳＲＡＭ６個（５１４Ａ＿１〜５１４Ａ＿６）に順次格納された画像信号は、４．６５ＭＨｚでＡ群ＳＲＡＭ６個（５１４Ａ＿１〜５１４Ａ＿６）から同時に読み出され、ＳＲＡＭ１、５１４Ａ＿１、ＳＲＡＭ２、５１４Ａ＿２から読み出されたＬＥＤアレイユニット１、５０３＿１の画像信号は、第２＿ＩＣ、５１１へＳＯＤＡ１（３．．０）、ＳＯＤＡ２（３．．０）として入力され、ＳＲＡＭ３、５１４Ａ＿３、ＳＲＡＭ４、５１４Ａ＿４から読み出されたＬＥＤアレイユニット２、５０３＿２の画像信号および、ＳＲＡＭ５、５１４Ａ＿５、ＳＲＡＭ６、５１４Ａ＿６から読み出されたＬＥＤアレイユニット３、５０３＿３の画像信号は、画像遅延メモリ部のフィールドメモリ５１５＿１〜５１５＿３に送られる。
Ａ群ＳＲＡＭ６個（５１４Ａ＿１〜５１４Ａ＿６）が読み出しを行っている間に、次のラインをＢ群のＳＲＡＭ１〜６、５１４Ｂ＿１〜５１４Ｂ＿６の６個にＡ群と同様に画像信号を格納する。
このリード、ライト動作をＡ郡ＳＲＡＭ６個（５１４Ａ＿１〜５１４Ａ＿６）、Ｂ郡ＳＲＡＭ６個（５１４Ｂ＿１〜５１４Ｂ＿６）をトグル動作させる。
【００１７】
画像データ遅延部（５１５＿１〜５１５＿３）について説明する。
（１）ＬＥＤアレイユニット２、５０３＿２の画像信号遅延部（５１５＿１、５１５＿２）、Ａ３幅ＬＥＤアレイユニット（５１５＿１〜５１５＿３）３本を千鳥配置しているため、ＬＥＤアレイユニット１、５０３＿１を基準とし、ＬＥＤアレイユニット２、５０３＿２は、メカレイアウト上、副走査方向に７ｍｍずらして取り付けている。このため、Ａ郡ＳＲＡＭ６個（５１４Ａ＿１〜５１４Ａ＿６）、Ｂ郡ＳＲＡＭ６個（５１４Ｂ＿１〜５１４Ｂ＿６）から出力された画像信号を同時に処理し、ＬＥＤアレイユニット２、５０３＿２へ転送すると、ＬＥＤアレイユニット１、５０３＿１に対して、ＬＥＤアレイユニット２、５０３＿２は、副走査方向に７ｍｍ（７ｍｍ／４２．３μｍ（６００ｄｐｉの１ｄｏｔ）＝１６５ライン）ずれて印字してしまう。
【００１８】
このメカ的なずれを補正するため、４．７５ＭＨｚでＡ郡ＳＲＡＭ３，４、５１４Ａ＿３〜５１４Ａ＿４、Ａ郡ＳＲＡＭ３、４　５１４Ｂ＿３〜５１４Ｂ＿４から出力されたＬＥＤアレイユニット２、５０３＿２の２分割分の画像信号（各４ｂｉｔ）を８ｂｉｔの画像信号としてフィールドメモリ５１５＿１に転送ライン順に４．７５ＭＨｚで１００ライン（固定）書き込む。
次に、書き込まれた順に４．７５ＭＨｚでフィールドメモリ５１５＿１より画像信号を読み出すと同時に、カスケード接続されたフィールドメモリ５１５＿２に６５ライン（可変）書き込む。
次に、書き込まれた順に４．７５ＭＨｚでフィールドメモリ５１５＿２より画像信号を読み出し、ＦＭＯＤ２（７．．０）として、第２＿ＩＣ５１１へ入力する。これによりＬＥＤアレイユニット２、５０３＿２の画像信号は、１６５ライン（７ｍｍ）遅延されたことになる。遅延させるライン数はＬＥＤアレイユニット２、５０３＿２の部品精度、組付のバラツキにより個々に異なるため、１ライン（４２．３μｍ）単位での制御が可能である。
【００１９】
（２）ＬＥＤアレイユニット３、５０３＿３画像データ遅延部について、説明する。
同様にＬＥＤアレイユニット３、５０３＿３は副走査方向に１ｍｍずらして取り付けている。このため、Ａ群ＳＲＡＭ５，６、５１４Ａ＿５、５１４Ａ＿６、Ｂ群ＳＲＡＭ５，６、５１４Ｂ＿５、５１４Ｂ＿６から出力されたＬＥＤアレイユニット３、５０３＿３の２分割分の画像信号（各４ｂｉｔ）を、ＦＭＯＤ３（７．．０）として２３ライン（１ｍｍ）遅延させる。
【００２０】
光量補正ＲＯＭ部５１６＿１、５１６＿２、５１６＿３について説明する。
ＬＥＤアレイユニット５０３＿１〜５０３＿３に各ＬＥＤ素子の光量バラツキを補正するために、ＬＥＤ素子毎に５ｂｉｔの補正データおよびＬＥＤ素子が１９２個おきのＬＥＤアレイチップ毎の補正データが入った光量補正ＲＯＭ５１６＿１、５１６＿２、５１６＿３があり、電源投入時に光量バラツキ補正データを各ＬＥＤアレイ５０３＿１〜５０３＿３に転送する。
まず、電源投入時およびＬＥＤ書き込み制御回路がリセットした後、最初にＬＥＤユニット１５０３＿１の光量補正ＲＯＭ５１６＿１より　第２＿ＩＣ５１１からのアドレス信号ＨＯＳＥＩＡＤＲ（１２．．０）により００００Ｈより、順番に読み出され光量補正データはＨＯＳＥＩＤ（４．．０）として、第２＿ＩＣ５１１に入力される。
【００２１】
第２＿ＩＣ５１１内部にて、００００ｈ（１ｄｏｔ目の補正データ）のデータをラッチし、０００１ｈ（３８４１ｄｏｔ目の補正データ）のデータと同時にＬＥＤアレイユニット１５０３＿１へ９．５ＭＨｚで並列転送される。この処理を１Ｅ２８ｈ（７７２０個の補正データ）まで繰り返しＬＥＤアレイユニット１、５０３＿１の光量補正を行う。
ＬＥＤアレイユニット１、５０３＿１の補正データ転送終了後、同様に順次、ＬＥＤアレイユニット２、５０３＿２、ＬＥＤアレイユニット３、５０３＿３の光量補正を行う。
転送した光量補正データは、ＬＥＤアレイユニット５０３＿１〜５０３＿３電源をＯＦＦしない限り、ＬＥＤアレイユニット５０３＿１〜５０３＿３内部にて補正データが保持される。
【００２２】
ダブルコピーＳＲＡＭ部５１３について説明する。
主走査方向最大４２０ｍｍ（Ａ２縦サイズ）までの画像を、最大８４１ｍｍ（Ａ０縦サイズ）の用紙に同じ画像を並べて印字しコピー、プリンターの生産性を２倍にする機能を有する。
ダブルコピー時、画像メモリ部３０１からの画像信号（Ｅ、Ｏ）では、ＸＰＬＳＹＮＣは１／２以下でＬＥＤ書込制御回路５０２に転送されてくる。これを利用し一つのＸＰＬＳＹＮＣの中で、画像信号のダビング操作を行う構成としている。
【００２３】
画像メモリ部３０１から２５ＭＨｚで送られてきた画像信号（Ｅ、Ｏ）は、第１＿ＩＣ５１０よりＥＤＷ，ＯＤＷとしてダブルコピーＳＲＡＭ５１３にアドレス信号ＷＡＤＲ（１３．．０）と共に出力され、ダブルコピーＳＲＡＭ５１３に画像データを格納すると同時に、画像データＲＡＭ部のＡ群ＳＲＡＭ６個（５１４Ａ＿１〜５１４Ａ＿６）に格納する。
画像メモリ部３０１からの画像信号格納終了と同時にダブルコピーＳＲＡＭ５１３に格納した画像データを読み出し、第１＿ＩＣ５１０に取り込み、画像メモリ部３０１から送られてきた画像データと同様にＡ群ＳＲＡＭ６個（５１４Ａ＿１〜５１４Ａ＿６）に追加読み込みさせる。
これによりＡ群ＳＲＡＭ６個（５１４Ａ＿１〜５１４Ａ＿６）には、ダブルコピー画像主走査１ライン分が格納されたことになる。
この動作をＡ群ＳＲＡＭ６個（５５１４Ａ＿１〜５１４Ａ＿６）、Ｂ群ＳＲＡＭ６個（５１４Ｂ＿１〜５１４Ｂ＿６）をトグルさせることによりライン間の繋ぎを行う。
【００２４】
次に、画像データ出力部について説明する。
第２＿ＩＣ５１１に入力されたＬＥＤアレイユニット１〜３、５０３＿１〜５０３＿３　の２ｄｏｔ単位の画像信号は、第２＿ＩＣ５１１内部にて１ライン合成される。ＬＥＤアレイユニット１、５０３＿１の１分割目の画像信号は、Ｄ１Ａ、２分割目の画像信号はＤ１Ｂ、ＬＥＤアレイユニット２、５０３＿２の１分割目の画像信号はＤ２Ａ、２分割目の画像信号はＤ２Ｂ、ＬＥＤアレイユニット３、５０３＿３の１分割目の画像信号はＤ３Ａ、２分割目の画像信号は、Ｄ３Ｂとして第２＿ＩＣ５１１からタイミング信号と共に出力され、ドライバ５１９を介し、各ＬＥＤアレイユニット５０３＿１〜５０３＿３に９．５ＭＨｚのスピードで転送される。
【００２５】
次に、ダウンロード部５１７について説明する。
第１＿ＩＣ５１０，第２＿ＩＣ５１１はＳＲＡＭタイプのＣＰＬＤであるため、電源ＯＦＦにより、第１＿ＩＣ５１０、第２＿ＩＣ５１１内部の書き込み制御プログラムが全て消去される。そのため電源ＯＮ時、ＥＰＲＯＭ５１７よりプログラムのダウンロード（コンフィギュレーション）が毎回行われる。
まず、電源が投入されると、第１＿ＩＣ５１０にＥＰＲＯＭ５１７よりＤＯＷＮＬＯＡＤ＿ＣＰＬＤ１としてプログラムをシリアルデータで転送しダウンロードを行い第１＿ＩＣ５１０にダウンロードが終了すると同時に、第２＿ＩＣ５１１にＥＰＲＯＭ５１７よりＤＯＷＮＬＯＡＤ＿ＣＰＬＤ２としてプログラムをシリアルデータで転送し、プログラムがダウンロードされる。
【００２６】
リセット回路部５１８について説明する。
電源ＯＮ時およびＬＥＤ書込制御回路５０２の供給電源の電圧降下によりリセットＩＣ５１８よりシステムリセット信号ＲＥＳＥＴ＿ＣＰＬＤ１およびＲＥＳＥＴ＿ＣＰＬＤ２が出力される。システムリセット信号ＲＥＳＥＴ＿ＣＰＬＤ１は第１＿ＩＣ５１０に、システムリセット信号ＲＥＳＥＴ＿ＣＰＬＤ２は、第２＿ＩＣ５１１にそれぞれ入力され、これを基に第１＿ＩＣ５１０および第２＿ＩＣ５１１内部のカウンタのリセットを行いシステムの初期化をする。
【００２７】
システム制御装置３０２について説明する。
ＬＥＤ書込制御回路５０２への書き込み条件設定（ダブルコピーの有無、書き込み用紙サイズｅｔｃ．）はシステム制御装置３０２からの制御信号入力データバスＬＤＡＴＡ（７．．０）、アドレスバスＬＡＤＲ（６．．０）、ラッチ信号ＶＤＢＣＳ、画像転送信号ＸＰＦＧＡＴＥ＿ＩＯＢ、ＸＰＳＧＡＴＥ、ＸＴＬＧＡＴＥを　第１＿ＩＣ５１０、第２＿ＩＣ５１１に入力することにより制御される。
【００２８】
次に、図６を参照してＬＥＤアレイユニット１〜３、５０３＿１〜５０３＿３の一つ、ＬＥＤアレイユニット１、５０３＿１について説明する。
ＬＥＤアレイユニット１、５０３−１の内部は、ＬＥＤアレイ５９０＿１〜ＬＥＤアレイ５９０＿４０の１９２個単位で４０分割され、主走査方向に等間隔に配置されている（１９２＊４０＝７６８０ドット）。各々のＬＥＤアレイには、発光光量を制御するドライバ５９１＿１〜５９１＿４０がそれぞれ接続されている。
【００２９】
ドライバ５９１には各ドットに対応する画像データおよびＬＥＤをその時間だけ点灯させるストローブＳＴＢ信号、データ転送用のクロックＣＬＫ、データ転送を開始するためのセットＲＥＳＥＴ（ＬＯＡＤ）信号、光量補正と通常画像の階調制御を切換するＳＥＬ信号が、入力信号として接続されている。
また、チップサ−ミスタ５９９がヒートシンクまたは、プリント基板に取り付いていて、各々のドライバ５９１−１〜４０に接続してあり温度検知しＬＥＤ電流を温度補正制御している。チップサーミスタ５９９からの電圧は、ＬＥＤ書込制御回路５０２にも入力され、温度をモニタしたりできるようになり、更にＬＥＤ書込制御回路５０２からもＶｒｅｆ信号により温度補正できる構成となっている。
【００３０】
次に、図７を参照してドライバＩＣ５９１＿１〜５９１＿４０の一つのドライバ５９１＿１内部回路構成について説明する。
ＬＥＤ書込制御回路５０２から入力されるＳＥＬ、Ｄ１ＡｏｒＤ１Ｂ（画像データ）、ＣＬＫ、ＲＥＳＥＴ信号は、ドライバＩＣ内５９１−１のバスクロック５９３に転送される。ＳＥＬ信号は、電源ＯＮ時のＬＥＤ光量補正データ転送モードと通常の階調制御モードの切換信号であり、電源ＯＮの最初のみまたは指定されたタイミングで光量補正データをチップ補正データラッチブロック５９６に転送させ、階調制御時はデータバス５９４に転送される。
次に、データバス５９４から出力されたデータは階調制御用ラッチにてデータをラッチさせ、定電流ドライバ５９７に転送する。定電流ドライバ５９７では、温度による補正Ｖｒｅｆからの信号での補正、およびチップ補正データラッチ５９６からの光量補正データの補正を行い、ＬＥＤを発光させるためのＳＴＢ信号によりＬＥＤを発光させる。
【００３１】
本実施例の具体的な制御について以下に記載する。
図５を参照して、ＬＥＤアレイユニットの点灯制御回路の説明をする。
本回路は、主走査１ライン分のデータをＬＥＤアレイユニット内部ドライバにラッチさせた後、主走査開始信号より、設定した３２カウント分のクロック点灯信号（ＳＴＢ：ストローブ信号）を分割領域毎順に出力することでＬＥＤを点灯させ、画像印字させている。１本のＬＥＤアレイユニットは４分割の点灯領域とし電源容量の負担を低減している。
まず、システム制御装置３０２からの用紙幅に対応するＬＥＤアレイユニット５０３−１〜３の書込開始位置と書込終了位置信号が与えられ、ＬＥＤ書込制御回路５０２に入力され、内部ＩＣによりＳＲＡＭへのアドレス設定を行う。更に、書込開始アドレス・終了アドレスが、ＬＥＤ書込制御回路内５０２のレジスタ回路より、出力される。出力された書込開始・終了アドレスは、図５のセレクタ７３６に入力されて、ＬＥＤアレイユニット１〜３の、どこの点灯領域を変更するのか選択し、分割領域信号１〜１２を出力し、次のセレクタ７３７−１〜３へ入力させる。その後、３系統の制御は同等なので、ここでは、セレクタ７３７−２つまりＬＥＤアレイユニット２の制御について説明する。
【００３２】
セレクタ７３６からの分割領域信号５〜８が、セレクタ７３７−２に入力され、更に点灯させるＤＵＴＹに対して３２クロック分の１クロックの周期レジスタＳＴＢＣＹＣ（ＮＯＲ、ＳＴ、ＥＮＤ）（図５　７４８）とクロック期間レジスタＳＴＢＤＴＹ（ＮＯＲ、ＳＴ、ＥＮＤ）（図５　７４８）が入力され、分割領域信号５〜８の信号と比較し、どのレジスタＳＴＢＣＹＣ、ＳＴＢＤＴＹの設定値を使用するか選択し出力する。
画像印字幅２１０ｍｍの場合、使用するＬＥＤアレイユニットは、５０３−２で分割領域は５〜８となる。レジスタ開始・終了アドレスより、主走査画像領域開始は、分割領域５で、使用する周期レジスタはＳＴＢＣＹＣ＿ＳＴとクロック期間レジスタＳＴＢＤＴＹ＿ＳＴとなる。
【００３３】
次に、分割領域６、７は、周期レジスタＳＴＢＣＹＣ＿ＮＯＲ、クロック期間レジスタＳＴＢＤＴＹ＿ＮＯＲとなり、主走査画像終了の分割領域８は、周期レジスタＳＴＢＣＹＣ＿ＥＮＤ、クロック期間レジスタＳＴＢＤＴＹ＿ＥＮＤが選択される。
セレクタ７３７−２から選択された１クロックの周期ＳＴＢＣＹＣと期間ＳＴＢＤＴＹは、ＳＴＢクロック回路７４３−２に入力される。ＳＴＢクロック回路７４３−２の内部回路は、まず、ＬＥＤ書込制御回路内５０２の第１＿ＩＣ５１０で生成された画像開始信号ＲＬＳＹＮＣと基準同期信号ＳＹＳＣＫをカウンタ７４４−２に入力し、カウントアップさせカウンタＳＴＢＷＤを出力する。
【００３４】
前記カウンタＳＴＢＷＤは、ＬＥＤアレイユニットへ出力する点灯ストローブの１クロック分の内部カウンタである。カウンタリセットは、セレクタ７３７−２で選択されたストローブ１クロック分の周期ＳＴＢＣＹＣにてリセットさせる。
次に、カウンタＳＴＢＷＤとレジスタＳＴＢＣＹＣをカウンタ７４５−２に入力させカウンタＳＴＢＣＮＴを出力させる。カウンタリセットは、カウンタＳＴＢＣＮＴが３１カウント（０〜３１で３２カウント）になったらリセットさせる。次にカウンタＳＴＢＣＮＴの３１カウント毎にカウンタ７４６−２に入力させＳＴＢＣＮＴを基準にカウンタＳＴＢＢＬＫを出力させる。カウンタリセットは、カウンタＳＴＢＢＬＫが４カウント（ＳＴＢＢＬＫ０〜３）になったらリセットさせる。ＳＴＢＢＬＫ信号は、セレクタ７３７−２にフィードバックされる。前記回路、７４４−２、７４５−２、７４６−２で生成された信号をＳＴＢクロック生成回路７４７−２に入力させ、４本の点灯信号（ＳＴＢＣＬＫ０〜３）を出力させる。
【００３５】
次に、ストローブ１クロック分の周期ＳＴＢＣＹＣと中間カウント値期間ＳＴＢＤＴＹの設定方法について記す。ＬＥＤヘッドの点灯時間は、主走査期間に対して８％〜１５％としている。仮に点灯時間１０％とすると主走査期間４７０．３μＳだと４７．０３μＳがストローブクロック周期となり３２クロックが含まれている。１クロックの周期は、４７．０３μＳ／３２クロックで１．４７μＳとなる。基準同期クロックＳＹＳＣＫは１９ＭＨｚであり０．０５２　μＳの周期なので１クロックの周期１．４７μＳは、基準同期クロックＳＹＳＣＫが２８カウント分となる。（カウンタＳＴＢＷＤ０〜２７カウント）よって、ストローブ１クロック分の周期ＳＴＢＣＹＣは、設定値２７となり、中間カウント値期間ＳＴＢＤＴＹは、設定値１３となる。
【００３６】
次に、図８を参照して、点灯時間制御について説明する。
Ａ系列定型サイズ２１０ｍｍ（４９６０ｄｏｔ）の時、ＬＥＤアレイユニット５０３−２が指定され、分割領域５〜８を使用することになる。レジスタ開始・終了アドレスより、印字領域が１つの点灯ブロック内で半分以下（所定量）と指定された場合、その点灯ブロックの点灯時間を制御しＬＥＤの発光光量を変化させる。
ここでは、主走査画像領域開始の点灯ブロック５の印字領域は、点灯ブロック領域の半分以下のドット数しかないので、点灯ブロック６、７と点灯ＤＵＴＹが同じだと電源からのケーブルインピーダンス等による電圧降下の違いによって、点灯ブロック５の電流が大きくなり発光光量が増加する。このため画像が中間色（ハーフトーン画像）であると隣接する内側の点灯ブロック６の画像濃度より濃い画像となりムラとして目立ってしまうので、点灯ＤＵＴＹをへらして点灯ブロック６と同じ画像濃度となるように８％で制御し、終了分割領域８も同様に点灯ＤＵＴＹ８％で制御し、分割領域６，７は点灯ＤＵＴＹ１０％で点灯制御する。この点灯ＤＵＴＹをへらす量は両端部の印字領域によって調整することが必要で、図３に示すようにＡ４横幅とＡ２横幅の場合は、内側の印字領域との差が少ないので、特に必要がないがＡ４縦幅とＡ３横幅とＡ１横幅の場合には、点灯ＤＵＴＹをへらしていて、Ａ３横幅のように狭くなるほどＤＵＴＹをへらす量を大きくする。
【００３７】
【発明の効果】
請求項１の発明においては、発光素子アレイユニットの一度の点灯領域を複数に分割する手段と、一度の点灯領域毎の発光光量を制御させる発光素子点灯制御回路とで構成したので、主走査方向の分割点灯位置の光量ムラをなくするデジタル発光素子書込装置を提供することが可能となる。
請求項２の発明においては、一度の点灯領域の点灯領域が少ない箇所は、発光光量を減少させるように点灯制御回路を制御するようにしたので、主走査方向の分割点灯位置の光量ムラをなくすることが可能となる。
請求項３においては、発光光量を制御させる発光素子点灯制御は一度の点灯領域に応じて制御させるようにしたので、主走査方向の分割点灯位置の光量ムラをなくすることが可能となる。
【図面の簡単な説明】
【図１】本発明の実施の形態に係る複写機の基本構成ブロック図である。
【図２】本発明の実施の形態に係る複写機の概略を示した図である。
【図３】各用紙サイズに対応した印字領域を説明する図である。
【図４】ＬＥＤ書込制御回路の構成を示したブロック図である。
【図５】ＬＥＤアレイユニットの点灯制御回路を説明をした図である。
【図６】ＬＥＤアレイユニット１５０３＿１について説明した図である。
【図７】ドライバ５９１＿１の内部回路構成について説明した図である。
【図８】点灯時間制御について説明した図である。
【符号の説明】
５　　　感光体ドラム
８　　　レジストローラ
９　　　転写チャージャ
１０　　分離チャージャ
１１　　搬送タンク
１２　　定着ユニット
１００　読取部
１０２　画像増幅回路
１０３　Ａ／Ｄ変換回路
１０４　シェーデング補正回路
１０５　画像処理回路
１０６　同期制御回路
３００　画像情報記憶部
３０１　画像メモリ部
３０２　システム制御装置
４００　操作部
５００　書込部
５０２　ＬＥＤ書込制御回路
【図１】
2004114317.tif 000003
【図２】
2004114317.tif 000004
【図３】
2004114317.tif 000005
【図４】
2004114317.tif 000006
【図５】
2004114317.tif 000007
【図６】
2004114317.tif 000008
【図７】
2004114317.tif 000009
【図８】
2004114317.tif 000010